(57)【要約】【課題】耳に引っ掛ける量を段階的に調整することができ、状況に応じた引っ掛け量とすることができるモダン部材及びそれを用いた眼鏡フレームを提供すること。【解決手段】本発明は、テンプル８３に取付けられたモダン本体部１と、モダン本体部１にスライド可能となるように取付けられた第１取付け部１１及び第２取付け部１２、並びに、第１取付け部１１及び第２取付け部１２を連結する連結部１５、を有する耳掛け部１０と、を備えるモダン部材１０１であって、連結部１５の略中央に屈曲部１３が設けられており、第１取付け部１１及び／又は第２取付け部１２をスライドさせ、互いに近づけることにより、屈曲部１３が屈曲する、モダン部材１０１である。【選択図】図１
2008039943.tif 000002
【特許請求の範囲】
【請求項１】
テンプルに取付けられたモダン本体部と、
前記モダン本体部にスライド可能となるように取付けられた第１取付け部及び第２取付け部、並びに、前記第１取付け部及び前記第２取付け部を連結する連結部、を有する耳掛け部と、
を備えるモダン部材であって、
前記連結部の略中央に屈曲部が設けられており、
前記第１取付け部及び／又は前記第２取付け部をスライドさせ、互いに近づけることにより、前記屈曲部が屈曲する、モダン部材。
【請求項２】
前記第１取付け部及び前記第２取付け部が前記連結部の端部に設けられており、前記屈曲部が肉薄となっている、請求項１記載のモダン部材。
【請求項３】
前記第１取付け部又は前記第２取付け部が前記モダン本体部に固定されている、請求項１記載のモダン部材。
【請求項４】
前記モダン本体部の表面に、前記第１取付け部及び／又は前記第２取付け部を保持するための突起が設けられている、請求項１記載のモダン部材。
【請求項５】
前記モダン本体部の表面に溝が設けられており、前記耳掛け部が前記溝に収容可能となっている、請求項１記載のモダン部材。
【請求項６】
前記屈曲部がねじれながら屈曲する、請求項１記載のモダン部材。
【請求項７】
前記モダン本体部の表面に前記第１取付け部及び／又は前記第２取付け部を案内するための案内レールが設けられている、請求項１記載のモダン部材。
【請求項８】
前記モダン本体部の表面に前記第１取付け部及び／又は前記第２取付け部を保持するための第１磁石が取付けられており、前記第１取付け部及び／又は前記第２取付け部には第２磁石が取付けられており、前記第１磁石及び前記第２磁石の磁気吸着により、前記第１取付け部及び／又は前記第２取付け部が保持される、請求項１記載のモダン部材。
【請求項９】
前記モダン本体部の前記耳掛け部とは反対側に形成され、前記第１取付け部及び前記第２取付け部をスライドさせ、互いに近づけることにより屈曲する、保持部、を更に備える、請求項１記載のモダン部材。
【請求項１０】
前記保持部が、前記耳掛け部よりも硬度が大きい、請求項９記載のモダン部材。
【請求項１１】
前記耳掛け部が弾性樹脂からなるものである、請求項１記載のモダン部材。
【請求項１２】
請求項１〜１１のいずれか一項に記載のモダン部材を有する、眼鏡フレーム。
【発明の詳細な説明】
【技術分野】
【０００１】
本発明は、モダン部材及び眼鏡フレームに関する。
【背景技術】
【０００２】
従来の眼鏡は、フロント枠８１に取付けられたノーズパッド８２を鼻に当て、左右両側のテンプル８３によって側頭部を挟み、くの字状のモダン部材８４を耳の上方後部に添うように掛けることにより安定保持されるようになっている（図１１参照）。
ところで、眼鏡は一般にレンズ等が取付けられているフロント部が重くなるため、特に激しい運動等する際には眼鏡が落下しやすいという課題がある。
【０００３】
この眼鏡の落下を防止するために、眼鏡フレームのモダン部材に耳塞ぎ具等を取り付ける方法が提案されている（例えば、特許文献１〜５参照）。
これらによれば、耳塞ぎ具等が耳に掛けられることにより、フロント部が重くても眼鏡の落下を一応防止できる。
【０００４】
ところが、これらの耳塞ぎ具等は、耳に引っ掛ける量を段階的に調整することができない欠点がある。
すなわち、これらの耳塞ぎ具等では、眼鏡が耳から落ちるのを防止できるものの、耳の位置や形状には個人差があるため、眼鏡がずれることを必ずしも防止できない。
換言すると、これらの耳塞ぎ具等を備えた眼鏡フレームは、フィット感が十分とは言えない。
【０００５】
これに対し、モダン部材の耳への曲げ度合いを適宜調整できる技術が開発されている。
例えば、モダン部材にいわゆるボウコード等を取付け、傾斜角度や張力を自由に調節する技術が開示されている（例えば、特許文献５〜７参照）。
【特許文献１】特開昭５２−１４２８４３号公報
【特許文献２】特開昭５８−７１７１５号公報
【特許文献３】特開昭６０−１９１０２１号公報
【特許文献４】特開昭６２−３５３２３号公報
【特許文献５】特開平０１−１６４４２３号公報
【特許文献６】特開平７−２０９６１６号公報
【特許文献７】特開２００１−４９６０号公報
【発明の開示】
【発明が解決しようとする課題】
【０００６】
しかしながら、上記特許文献５〜７記載のモダン部材においては、一見、耳の位置や形状に対応させることができるものの、対応可能な範囲はいわゆるボウコード等の長さに制限される。
このため、上記モダン部材を用いた眼鏡フレームは、フィット感が必ずしも十分ではなく、眼鏡がずれることを十分に防止できない。
また、上記特許文献５〜７記載のモダン部材は、ボウコード等を最大に伸ばした場合、ボウコード等の傾斜が不十分となるため耳への引っ掛け量が不足する。
したがって、特に激しい運動をする際には眼鏡がずれたり落下したりする場合がある。
すなわち、上記特許文献５〜７記載のモダン部材では、状況に応じた引っ掛け量とすることができない。
【０００７】
本発明は上記事情に鑑みてなされたものであり、耳に引っ掛ける量（引っ掛け量）を段階的に調整することができ、状況に応じた引っ掛け量とすることができるモダン部材及びそれを用いた眼鏡フレームを提供することを目的とする。
【課題を解決するための手段】
【０００８】
本発明者らは、上記課題を解決するため鋭意検討したところ、モダン本体部に耳掛け部を取付け、この耳掛け部材をスライド可能とし、かつ屈曲させてモダンを形成させる構造とすることにより、上記課題を解決し得ることを見出し、本発明を完成するに至った。
【０００９】
すなわち、本発明は、（１）テンプルに取付けられたモダン本体部と、モダン本体部にスライド可能となるように取付けられた第１取付け部及び第２取付け部、並びに、第１取付け部及び第２取付け部を連結する連結部、を有する耳掛け部と、を備えるモダン部材であって、連結部の略中央に屈曲部が設けられており、第１取付け部及び／又は第２取付け部をスライドさせ、互いに近づけることにより、屈曲部が屈曲する、モダン部材に存する。
【００１０】
本発明は、（２）第１取付け部及び第２取付け部が連結部の端部に設けられており、屈曲部が肉薄となっている、上記（１）記載のモダン部材に存する。
【００１１】
本発明は、（３）第１取付け部又は第２取付け部がモダン本体部に固定されている、上記（１）記載のモダン部材に存する。
【００１２】
本発明は、（４）モダン本体部の表面に、第１取付け部及び／又は第２取付け部を保持するための突起が設けられている、上記（１）記載のモダン部材に存する。
【００１３】
本発明は、（５）モダン本体部の表面に溝が設けられており、耳掛け部が溝に収容可能となっている、上記（１）記載のモダン部材に存する。
【００１４】
本発明は、（６）屈曲部がねじれながら屈曲する、上記（１）記載のモダン部材に存する。
【００１５】
本発明は、（７）モダン本体部の表面に第１取付け部及び／又は第２取付け部を案内するための案内レールが設けられている、上記（１）記載のモダン部材に存する。
【００１６】
本発明は、（８）モダン本体部の表面に第１取付け部及び／又は第２取付け部を保持するための第１磁石が取付けられており、第１取付け部及び／又は第２取付け部には第２磁石が取付けられており、第１磁石及び第２磁石の磁気吸着により、第１取付け部及び／又は第２取付け部が保持される、上記（１）記載のモダン部に存する。
【００１７】
本発明は、（９）モダン本体部の耳掛け部とは反対側に形成され、第１取付け部及び第２取付け部をスライドさせ、互いに近づけることにより屈曲する、保持部、を更に備える、上記（１）記載のモダン部材に存する。
【００１８】
本発明は、（１０）保持部が、耳掛け部よりも硬度が大きい、上記（９）記載のモダン部材に存する。
なお、上記硬度は、ＪＩＳ−Ｋ７２１５に準拠したデュロメータ硬さ試験方法（デュロメータ硬度計）により測定される。
【００１９】
本発明は、（１１）耳掛け部が弾性樹脂からなるものである、上記（１）記載のモダン部材に存する。
【００２０】
なお、本発明の目的に添ったものであれば、上記（１）〜（１１）を適宜組み合わせた構成も採用可能である。
【００２１】
また、本発明は、（１２）上記（１）〜（１１）のいずれか一つに記載のモダン部材を有する、眼鏡フレームに存する。
【発明の効果】
【００２２】
本発明のモダン部材は、モダン本体部に第１取付け部及び第２取付け部がスライド可能となるように取付けられているので、耳の位置に対応するようにモダン部材を移動させることができる。
また、上記モダン部材は、第１取付け部及び第２取付け部をスライドさせ、互いに近づけることにより、屈曲部が屈曲するので、耳の形状に対応するように屈曲の度合い（引っ掛け量）を調整できる。
【００２３】
これらのことから、上記モダン部材は、所望の位置にスライドさせ、所望の引っ掛け量となるように屈曲させることにより、耳にフィットした形状とすることができる。
したがって、激しい運動をする場合であっても、上記モダン部材を有する眼鏡フレームは、ずれたり落下したりすることが抑制される。
【００２４】
よって、上記モダン部材によれば、耳に引っ掛ける量を段階的に調整することができ、状況に応じた引っ掛け量とすることができる。
【００２５】
本発明のモダン部材においては、第１取付け部及び第２取付け部が連結部の端部に設けられており、屈曲部が肉薄となっていると、容易に屈曲部を屈曲させることが可能となる。
【００２６】
本発明のモダン部材においては、第１取付け部又は第２取付け部がモダン本体部に固定されていると、他の人が掛けた場合、耳までの長さが違っても容易に引っ掛け部を作ることができ、また、使用状況に応じて、引っ掛け量の調整が容易にできるという利点がある。
【００２７】
本発明のモダン部材においては、モダン本体部の表面に、第１取付け部及び／又は第２取付け部を保持するための突起が設けられていると、第１取付け部及び／又は第２取付け部をモダン本体部上の所望の位置で保持できる。
すなわち、耳掛け部を所望の形状及び所望の位置で保持できる。
【００２８】
本発明のモダン部材において、モダン本体部の表面に溝が設けられており、耳掛け部が溝に収容可能となっていると、このモダン部材を備えた眼鏡フレームを装着する際に、モダン部材が側頭部に引っ掛からずにスムーズに装着できる。
また、この場合、意匠性にも優れる。
【００２９】
本発明のモダン部材においては、屈曲部がねじれながら屈曲すると、モダン部材の屈曲部は内側にねじれることになる。
そうすると、内側方向に対する付勢力が働くため、このモダン部材を備えた眼鏡フレームは、内側方向を側頭部とすることにより、眼鏡フレームの落下がより抑制される。
【００３０】
本発明のモダン部材においては、モダン本体部の表面に第１取付け部及び／又は第２取付け部を案内するための案内レールが設けられていると、モダン部材のスライドをスムーズに行うことができる。
したがって、眼鏡を掛けたままであっても、第１取付け部及び／又は第２取付け部をスライドさせ、耳掛け部の位置や引っ掛け量を容易に調整することができる。
【００３１】
本発明のモダン部材においては、モダン本体部の表面に第１取付け部及び／又は第２取付け部を保持するための第１磁石が取付けられており、第１取付け部及び／又は第２取付け部には第２磁石が取付けられており、第１磁石及び前記第２磁石の磁気吸着により、第１取付け部及び／又は第２取付け部が保持されると、耳掛け部を所望の形状及び所望の位置で保持できる。
【００３２】
本発明のモダン部材が、モダン本体部の耳掛け部とは反対側に形成され、第１取付け部及び第２取付け部をスライドさせ、互いに近づけることにより屈曲する、保持部、を更に備えると、耳掛け部の屈曲部が屈曲するのと同時に、保持部が屈曲される。
そうすると、耳掛け部は、耳にフィットした形状となり、保持部は、側頭部と接触する面積が増えることから、より確実に眼鏡フレームが保持される。
なお、この場合のモダン部材は、意匠性にも優れる。
【００３３】
本発明のモダン部材においては、保持部が、耳掛け部よりも硬度が大きいと、確実に耳掛け部を屈曲させることができる。
【００３４】
本発明のモダン部材が弾性樹脂からなるものであると、より確実に屈曲部を屈曲させることができる。
【００３５】
本発明の眼鏡フレームは、上述したモダン部材を有するため、耳に引っ掛ける量を段階的に調整することができ、状況に応じた引っ掛け量とすることができる。
【発明を実施するための最良の形態】
【００３６】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００３７】
［第１実施形態］
まず、本発明のモダン部材の第１実施形態について説明する。
図１の（ａ）は、本発明に係るモダン部材の第１実施形態を示す斜視図であり、図１の（ｂ）は、図１の（ａ）に示す状態から、耳掛け部を屈曲させた状態を示す斜視図であり、図１の（ｃ）は、図１の（ｂ）に示す状態から、耳掛け部をスライドさせた状態を示す斜視図である。
【００３８】
図１の（ａ）に示すように、本実施形態に係るモダン部材１０１は、テンプル８３に取付けられたモダン本体部１と、モダン本体部１にスライド可能となるように取付けられた第１取付け部１１及び第２取付け部１２、並びに、第１取付け部１１及び第２取付け部１２を連結する連結部１５、を有する耳掛け部１０と、を備える。
【００３９】
耳掛け部１０は、環状の第１取付け部１１及び第２取付け部１２が連結部１５の両端に設けられた帯状となっており、この環状の第１取付け部１１及び第２取付け部１２にモダン本体部１を貫通させることによって、モダン本体部１に取付けられている。
なお、耳掛け部１０は、耳に掛ける機能を発揮するので、モダン本体部１の下側に取付けられる。
【００４０】
耳掛け部１０は、連結部１５の略中央に屈曲部１３が設けられており、屈曲部１３は連結部１５のその他の部分よりも肉薄となっている。
このため、図１の（ｂ）に示すように、モダン部材１０１においては、第１取付け部１１及び第２取付け部１２をスライドさせ、互いに近づけることにより、屈曲部１３が容易に屈曲して所望の耳に引っ掛ける形状（以下、「モダン構造」という。）が形成される。
【００４１】
このとき、図１の（ｃ）に示すように、モダン部材１０１においては、上記第１取付け部１１及び第２取付け部１２がスライド可能となっているので、モダン構造を維持したままモダン本体部１に沿って耳掛け部１０をスライドさせることができる。
【００４２】
すなわち、モダン部材１０１においては、耳掛け部１０をスライドさせることにより、モダン構造の位置を段階的に調整できる。
よって、耳の位置に個人差があったとしても、その耳の位置に確実に対応させることができる。
また、上記耳掛け部１０は、第１取付け部１１及び第２取付け部１２を互いに近づける度合いを調整することにより、屈曲部１３の屈曲の度合いを調整できるので、耳の形状に個人差があったとしても、確実に耳の形状に対応させることができる。
【００４３】
これらのことから、上記耳掛け部１０は、所望の位置にスライドさせ、所望の引っ掛け量となるように屈曲させることにより、耳にフィットしたモダン構造を形成することができる。
したがって、激しい運動をする場合であっても、上記モダン部材１０１は、ずれたり落下したりすることを抑制できる。
【００４４】
ここで、上記耳掛け部１０は弾性樹脂からなるものであることが好ましい。
耳掛け部１０が弾性樹脂からなるものであると、より確実に屈曲部を屈曲させることができる。
【００４５】
かかる弾性樹脂としては、熱可塑性エラストマー樹脂、ポリプロピレン、ポリエチレン、ポリエステル等が挙げられ、これらの中でも、弾力性と肌接触感の観点から、熱可塑性エラストマー樹脂であることがより好ましい。
なお、耳掛け部を構成する弾性樹脂は、１種類あっても複数種類を混合したものであってもよい。
【００４６】
［第２実施形態］
次に、本発明のモダン部材の第２実施形態について説明する。
図２の（ａ）は、本発明に係るモダン部材の第２実施形態を示す斜視図であり、図２の（ｂ）は、図２の（ａ）に示す状態から、耳掛け部を屈曲させた状態を示す斜視図である。
【００４７】
図２の（ａ）に示すように、本実施形態に係るモダン部材１０２においては、耳掛け部２０の第２取付け部２２がモダン本体部１に固定されている点で、第１実施形態に係るモダン部材１０１の耳掛け部１０と異なる。
【００４８】
耳掛け部２０は、環状の第１取付け部２１と、モダン本体部１に固定された第２取付け部２２と、が連結部２５の両端に設けられた帯状となっており、この環状の第１取付け部２１にモダン本体部１を貫通させることによって、モダン本体部１の下側に取付けられる。
【００４９】
そして、図２の（ｂ）に示すように、モダン部材１０２においては、第１取付け部２１を第２取付け部２２に近づけることにより、屈曲部２３が屈曲してモダン構造が形成される。
【００５０】
本実施形態に係るモダン部材１０２においては、第２取付け部２２がモダン本体部１に固定されているので、他の人が掛けた場合、耳までの長さが違っても容易に引っ掛け部を作ることができるという利点を有する。
【００５１】
また、耳掛け部２０は、第１取付け部２１を第２取付け部２２に近づける度合いを調整することにより、屈曲部２３の屈曲の度合いを調整できるので、耳の形状に個人差があったとしても、その耳の形状に確実に対応させることができる。
【００５２】
［第３実施形態］
次に、本発明のモダン部材の第３実施形態について説明する。
図３の（ａ）は、本発明に係るモダン部材の第３実施形態を示す斜視図であり、図３の（ｂ）は、図３の（ａ）に示す状態から、耳掛け部を屈曲させた状態を示す斜視図である。
【００５３】
図３の（ａ）に示すように、本実施形態に係るモダン部材１０３においては、耳掛け部３０の第１取付け部３１がモダン本体部１に固定されている点で、第１実施形態に係るモダン部材１０１の耳掛け部１０と異なる。
【００５４】
耳掛け部３０は、モダン本体部１に固定された第１取付け部３１と、環状の第２取付け部３２と、が連結部３５の両端に設けられた帯状となっており、この環状の第２取付け部３２にモダン本体部１を貫通させることによって、モダン本体部１の下側に取付けられる。
【００５５】
そして、図３の（ｂ）に示すように、モダン部材１０３においては、第２取付け部３２を第１取付け部３１に近づけることにより、屈曲部３３が屈曲してモダン構造が形成される。
【００５６】
本実施形態に係るモダン部材１０３においては、第１取付け部３１がモダン本体部１に固定されているので、使用状況に応じて、引っ掛け量の調整が容易にできるという利点を有する。
【００５７】
また、耳掛け部３０は、第２取付け部３２を第１取付け部３１に近づける度合いを調整することにより、屈曲部３３の屈曲の度合いを調整できるので、耳の形状に個人差があったとしても、その耳の形状に確実に対応させることができる。
【００５８】
［第４実施形態］
次に、本発明のモダン部材の第４実施形態について説明する。
図４の（ａ）は、本発明に係るモダン部材の第４実施形態を示す斜視図であり、図４の（ｂ）は、図４の（ａ）に示す状態から、耳掛け部を屈曲させた状態を示す斜視図である。
【００５９】
図４の（ａ）に示すように、本実施形態に係るモダン部材１０４において、耳掛け部３０は、第３実施形態に係るモダン部材１０３の耳掛け部３０と共通する。
しかし、本実施形態に係るモダン部材１０４は、耳掛け部３０が取付けられるモダン本体部２の表面に第２取付け部３２を保持するための突起２ａが設けられている点で第３実施形態に係るモダン部材１０３と異なる。
【００６０】
モダン本体部２は、耳掛け部３０とは反対側（上側）に複数の突起２ａを有する。
これらの隣合う突起２ａ間の距離は、環状である第２取付け部３２の幅と略一致している。
【００６１】
そして、図４の（ｂ）に示すように、モダン部材１０４においては、第２取付け部３２を第１取付け部３１に近づけることにより、屈曲部３３が屈曲してモダン構造が形成される。
このとき、第２取付け部３２は、突起２ａ間に嵌合されることにより保持される。
【００６２】
本実施形態に係るモダン部材１０４においては、第２取付け部３２をモダン部材１０４のモダン本体部２上の所望の位置で保持できる。
すなわち、耳掛け部３０を所望の形状及び所望の位置で保持できる。
【００６３】
［第５実施形態］
次に、本発明のモダン部材の第５実施形態について説明する。
図５の（ａ）は、本発明に係るモダン部材の第５実施形態を示す斜視図であり、図５の（ｂ）は、図５の（ａ）に示す状態から、耳掛け部を屈曲させた状態を示す斜視図である。
【００６４】
図５の（ａ）に示すように、本実施形態に係るモダン部材１０５において、耳掛け部３０は、第３実施形態に係るモダン部材１０３の耳掛け部３０と共通する。
しかし、本実施形態に係るモダン部材１０５は、モダン本体部３の表面に溝３ａが設けられており、耳掛け部３０が溝３ａに収容されている点で第３実施形態に係るモダン部材１０３と異なる。
【００６５】
モダン本体部３は、耳掛け部３０と同形状の溝３ａを有しており、耳掛け部３０が直線状に延びた状態においては、該溝３ａに収容される。
すなわち、耳掛け部３０が収容された状態においては、第２取付け部３２を除いてモダン本体部３から突出した部分がなくなる。
【００６６】
そして、図５の（ｂ）に示すように、モダン部材１０５においては、第２取付け部３２を第１取付け部３１に近づけることにより、屈曲部３３が屈曲してモダン構造が形成される。
【００６７】
したがって、本実施形態に係るモダン部材１０５は、このモダン部材１０５を備えた眼鏡フレームを装着する際に、モダン部材１０５が側頭部に引っ掛からずにスムーズに装着できる。
また、この場合、意匠性にも優れる。
【００６８】
［第６実施形態］
次に、本発明のモダン部材の第６実施形態について説明する。
図６の（ａ）は、本発明に係るモダン部材の第６実施形態を示す斜視図であり、図６の（ｂ）は、図６の（ａ）に示す状態から、耳掛け部を屈曲させた状態を示す斜視図であり、図６の（ｃ）は、図６の（ｂ）に示す状態の上面図である。
【００６９】
図６の（ａ）に示すように、本実施形態に係るモダン部材１０６において、耳掛け部３０は、第３実施形態に係るモダン部材１０３の耳掛け部３０と共通する。
しかし、モダン部材１０６は、モダン本体部４がねじれている点で第３実施形態に係るモダン部材１０３と異なる。
【００７０】
このように、本実施形態に係るモダン部材１０６においては、モダン本体部４がねじれているので、第２取付け部３２をスライドさせると、モダン本体部４のねじれに基づいて、第２取付け部３２が回転する。
【００７１】
そして、図６の（ｂ）に示すように、本実施形態に係るモダン部材１０６においては、第２取付け部３２を第１取付け部３１に近づけることにより、屈曲部３３がねじれながら屈曲してモダン構造が形成される。
【００７２】
本実施形態に係るモダン部材１０６においては、屈曲部３３がねじれながら屈曲するので、図６の（ｃ）に示すように、屈曲部３３は内側にねじれることになる。
そうすると、モダン部材１０６は、内側方向に対する付勢力が働くことになる。
よって、このモダン部材１０６を備えた眼鏡フレームは、内側方向を側頭部とすることにより、眼鏡フレームの落下がより抑制される。
【００７３】
［第７実施形態］
次に、本発明のモダン部材の第７実施形態について説明する。
図７の（ａ）は、本発明に係るモダン部材の第７実施形態を示す斜視図であり、図７の（ｂ）は、図７の（ａ）に示す状態から、耳掛け部を屈曲させた状態を示す斜視図であり、図７の（ｃ）は、図７の（ｂ）に示す状態の上面図である。
【００７４】
図７の（ａ）に示すように、本実施形態に係るモダン部材１０７において、耳掛け部３０は、第６実施形態に係るモダン部材１０６の耳掛け部３０と共通し、モダン部材１０７のモダン本体部５がねじれている点も、第６実施形態に係るモダン部材１０６のモダン本体部４と共通する。
しかし、モダン部材１０７は、モダン部材１０７のモダン本体部５の表面に第２取付け部３２を案内するための案内レール５ａが設けられている点で第６実施形態に係るモダン部材１０６と異なる。
【００７５】
上記モダン部材１０７において、モダン本体部５には、ライン状の案内レール５ａが設けられており、一方で、第２取付け部３２には、図示しない被嵌合部が設けられている。
この図示しない被嵌合部は、案内レール５ａに嵌合されており、この嵌合された状態を維持したまま、第２取付け部３２が案内レール５ａ上をスライドすることが可能となっている。
【００７６】
また、上記案内レール５ａは、モダン部材１０７のモダン本体部５と同様に、ねじれている。したがって、案内レール５ａに案内される第２取付け部３２は、スライドさせると、モダン部材１０７のモダン本体部５のねじれに基づいて、第２取付け部３２が回転する。
【００７７】
そして、図７の（ｂ）に示すように、本実施形態に係るモダン部材１０７においては、第２取付け部３２を第１取付け部３１に近づけることにより、屈曲部３３がねじれながら屈曲してモダン構造が形成される。
【００７８】
本実施形態に係るモダン部材１０７においては、モダン本体部５に案内レール５ａが設けられているため、第２取付け部３２のスライドをスムーズに行うことができる。
したがって、眼鏡を掛けたままであっても、第２取付け部３２をスライドさせ、耳掛け部３０の位置や引っ掛け量を容易に調整することができる。
【００７９】
また、本実施形態に係るモダン部材１０７においては、屈曲部３３がねじれながら屈曲するので、図７の（ｃ）に示すように、屈曲部３３は内側にねじれることになる。
そうすると、モダン部材１０７は、内側方向に対する付勢力が働くことになる。
よって、このモダン部材１０７を備えた眼鏡フレームは、内側方向を側頭部とすることにより、眼鏡フレームの落下がより抑制される。
【００８０】
［第８実施形態］
次に、本発明のモダン部材の第８実施形態について説明する。
図８の（ａ）は、本発明に係るモダン部材の第８実施形態を示す斜視図であり、図８の（ｂ）は、図８の（ａ）に示す状態から、耳掛け部を屈曲させた状態を示す斜視図である。
【００８１】
図８の（ａ）に示すように、本実施形態に係るモダン部材１０８において、モダン本体部６の表面に第２取付け部４２を保持するための第１磁石６ａが取付けられている点、及び、耳掛け部４０の第２取付け部４２に第２磁石４２ａが取付けられている点で第３実施形態に係るモダン部材１０３とは異なる。
【００８２】
上記第１磁石６ａはモダン本体部６に帯状に取付けられており、一方、第２磁石４２ａは、第２磁石４２ａと第１磁石６ａとが接するように、第２取付け部４２に取付けられている。
【００８３】
そして、図８の（ｂ）に示すように、本実施形態に係るモダン部材１０８においては、第２取付け部４２を第１取付け部４１に近づけることにより、屈曲部４３が屈曲してモダン構造が形成される。
このとき、第２取付け部材４２をスライドさせ、第１磁石６ａ及び第２磁石４２ａを磁気吸着させることにより、第２取付け部材４２が保持される。
【００８４】
本実施形態に係るモダン部材１０８においては、第２取付け部４２をモダン本体部６上の所望の位置で保持できる。
すなわち、耳掛け部４０を所望の形状及び所望の位置で保持できる。
【００８５】
［第９実施形態］
次に、本発明のモダン部材の第９実施形態について説明する。
図９の（ａ）は、本発明に係るモダン部材の第９実施形態を示す斜視図であり、図９の（ｂ）は、図９の（ａ）に示す状態から、耳掛け部を屈曲させた状態を示す斜視図である。
【００８６】
図９の（ａ）に示すように、本実施形態に係るモダン部材１０９の耳掛け部４０は、第８実施形態に係るモダン部材１０８の耳掛け部４０と共通する。
しかし、本実施形態に係るモダン部材１０９は、耳掛け部４０が取付けられるモダン本体部７の表面の第２取付け部４２を保持するための第１磁石７ａが所定の間隔をあけて配置されている点で第８実施形態に係るモダン部材１０８とは異なる。
なお、上記第１磁石７ａは第８実施形態に係るモダン部材１０８の第１磁石６ａと材質は共通する。
【００８７】
そして、図９の（ｂ）に示すように、本実施形態に係るモダン部材１０９においては、第２取付け部４２を第１取付け部４１に近づけることにより、屈曲部４３が屈曲してモダン構造が形成される。
このとき、第２取付け部材４２をスライドさせ、第１磁石７ａ及び第２磁石４２ａを磁気吸着させることにより、第２取付け部材４２が保持される。
【００８８】
本実施形態に係るモダン部材１０９においては、第２取付け部４２をモダン本体部７上の所望の位置で保持できる。すなわち、耳掛け部４０を所望の形状及び所望の位置で保持できる。
【００８９】
［第１０実施形態］
次に、本発明のモダン部材の第１０実施形態について説明する。
図１０の（ａ）は、本発明に係るモダン部材の第１０実施形態を示す斜視図であり、図１０の（ｂ）は、図１０の（ａ）に示す状態から、耳掛け部を屈曲させた状態を示す斜視図である。
【００９０】
図１０の（ａ）に示すように、本実施形態に係るモダン部材１１０は、モダン本体部８と、モダン本体部８にスライド可能となるように取付けられた第１取付け部５１及び第２取付け部５２、並びに、第１取付け部５１及び第２取付け部５２を連結する連結部５５、を有する耳掛け部５０と、モダン本体部８の耳掛け部５０とは反対側に形成され、第１取付け部５１及び第２取付け部５２をスライドさせ、互いに近づけることにより屈曲する保持部５７と、を備える。
【００９１】
耳掛け部５０は、耳掛け部５０と保持部５７とが第１取付け部５１及び第２取付け部５２を介して接続された環状となっている。
また、第１取付け部５１及び第２取付け部５２はいずれも環状であり、これらにモダン本体部８を貫通させることによって、耳掛け部５０がモダン本体部８に取付けられている。
なお、耳掛け部５０は、耳に掛ける機能を発揮するので、モダン本体部１の下側に取付けられる。
【００９２】
そして、図１０の（ｂ）に示すように、モダン部材１１０においては、第２取付け部５２を第１取付け部５１に近づけることにより、耳掛け部５０の屈曲部５３が屈曲してモダン構造が形成される。
なお、それと同時に、保持部も屈曲される。
【００９３】
このように、本実施形態に係るモダン部材１１０においては、耳掛け部５０の屈曲部５３が屈曲するのと同時に、保持部５７が屈曲されるので、耳掛け部５０は、耳にフィットした形状となり、保持部５７は、側頭部と接触する面積が増えることから、より確実に眼鏡フレームが保持される。
なお、この場合のモダン部材１１０は、意匠性にも優れる。
【００９４】
なお、耳掛け部５０及び保持部５７はいずれも上述した弾性樹脂からなるものであり、保持部５７は耳掛け部５０よりも硬度が大きいことが好ましい。
この場合、耳掛け部５０を確実に屈曲させることができる。
【００９５】
以上、本発明の好適な実施形態について説明したが、本発明は上記実施形態に限定されるものではない。
【００９６】
本発明のモダン部材には、取っ手部が取付けられていてもよい。
具体的には、モダン部材の第２取付け部に突起状の取っ手部を設けてもよい。
そうすると、指等で取っ手部を押すことにより、耳掛け部を容易にスライドさせることができる。
したがって、この場合のモダン部材を備える眼鏡フレームを装着した後であっても、容易に耳掛け部をスライドさせることができる。
【００９７】
上述した本実施形態に係るモダン本体部はいずれも直線状であっても、湾曲していてもよい。また、上記モダン本体部は、テンプルに取付けられたものに限定されず、テンプル自体であってもよい。
【００９８】
上述した本実施形態に係るモダン部材の第１取付け部及び第２取付け部の形状は、環状に限定されるものではなく、モダン本体部に沿ってスライドできる構造であれば特に限定されない。
【００９９】
上述した本実施形態に係るモダン部材において、屈曲部は必ずしも肉薄である必要はない。
【０１００】
上述した第４実施形態に係るモダン部材１０４において、モダン部材１０４のモダン本体部２の表面には、第２取付け部３２を保持するための突起２ａが設けられているが、第１取付け部３１を保持するための突起が更に設けられていてもよく、第１取付け部３１を保持するための突起のみが設けられていてもよい。
なお、第８実施形態に係るモダン部材１０８の第１磁石６ａ及び第９実施形態に係るモダン部材１０９の第１磁石７ａについても同様である。
【０１０１】
また、本発明の眼鏡フレームは、上述したモダン部材を有する。
すなわち、眼鏡フレームのフロント枠、ノーズパット等は公知のものを用いることができる。
かかる眼鏡フレームによれば、耳に引っ掛ける量を段階的に調整することができ、状況に応じた引っ掛け量とすることができる。
【図面の簡単な説明】
【０１０２】
【図１】図１の（ａ）は、本発明に係るモダン部材の第１実施形態を示す斜視図であり、図１の（ｂ）は、図１の（ａ）に示す状態から、耳掛け部を屈曲させた状態を示す斜視図であり、図１の（ｃ）は、図１の（ｂ）に示す状態から、耳掛け部をスライドさせた状態を示す斜視図である。
【図２】図２の（ａ）は、本発明に係るモダン部材の第２実施形態を示す斜視図であり、図２の（ｂ）は、図２の（ａ）に示す状態から、耳掛け部を屈曲させた状態を示す斜視図である。
【図３】図３の（ａ）は、本発明に係るモダン部材の第３実施形態を示す斜視図であり、図３の（ｂ）は、図３の（ａ）に示す状態から、耳掛け部を屈曲させた状態を示す斜視図である。
【図４】図４の（ａ）は、本発明に係るモダン部材の第４実施形態を示す斜視図であり、図４の（ｂ）は、図４の（ａ）に示す状態から、耳掛け部を屈曲させた状態を示す斜視図である。
【図５】図５の（ａ）は、本発明に係るモダン部材の第５実施形態を示す斜視図であり、図５の（ｂ）は、図５の（ａ）に示す状態から、耳掛け部を屈曲させた状態を示す斜視図である。
【図６】図６の（ａ）は、本発明に係るモダン部材の第６実施形態を示す斜視図であり、図６の（ｂ）は、図６の（ａ）に示す状態から、耳掛け部を屈曲させた状態を示す斜視図であり、図６の（ｃ）は、図６の（ｂ）に示す状態の上面図である。
【図７】図７の（ａ）は、本発明に係るモダン部材の第７実施形態を示す斜視図であり、図７の（ｂ）は、図７の（ａ）に示す状態から、耳掛け部を屈曲させた状態を示す斜視図であり、図７の（ｃ）は、図７の（ｂ）に示す状態の上面図である。
【図８】図８の（ａ）は、本発明に係るモダン部材の第８実施形態を示す斜視図であり、図８の（ｂ）は、図８の（ａ）に示す状態から、耳掛け部を屈曲させた状態を示す斜視図である。
【図９】図９の（ａ）は、本発明に係るモダン部材の第９実施形態を示す斜視図であり、図９の（ｂ）は、図９の（ａ）に示す状態から、耳掛け部を屈曲させた状態を示す斜視図である。
【図１０】図１０の（ａ）は、本発明に係るモダン部材の第１０実施形態を示す斜視図であり、図１０の（ｂ）は、図１０の（ａ）に示す状態から、耳掛け部を屈曲させた状態を示す斜視図である。
【図１１】図１１は、従来の眼鏡を示す斜視図である。
【符号の説明】
【０１０３】
１，２，３，４，５，６，７，８…モダン本体部
２ａ…突起
３ａ…溝
５ａ…案内レール
６ａ，７ａ…第１磁石
１０，２０，３０，４０，５０…耳掛け部
１１，２１，３１，４１，５１…第１取付け部
１２，２２，３２，４２，５２…第２取付け部
１３，２３，３３，４３，５３…屈曲部
１５，２５，３５，５５…連結部
４２ａ…第２磁石
５７…保持部
８１…フロント枠
８２…ノーズパッド
８３…テンプル
８４…ダン部材
１０１，１０２，１０３，１０４，１０５，１０６，１０７，１０８，１０９，１１０…モダン部材
【図１】
2008039943.tif 000003
【図２】
2008039943.tif 000004
【図３】
2008039943.tif 000005
【図４】
2008039943.tif 000006
【図５】
2008039943.tif 000007
【図６】
2008039943.tif 000008
【図７】
2008039943.tif 000009
【図８】
2008039943.tif 000010
【図９】
2008039943.tif 000011
【図１０】
2008039943.tif 000012
【図１１】
2008039943.tif 000013